(57)【特許請求の範囲】
【請求項１】
エレベーターやエスカレーター、階段からなる昇降設備と、該昇降設備の最上部に位置する展望台及びステージからなるタワー設備と、該タワー設備の前記ステージから筒体滑降路、漏斗状滑降路、筒体滑降路、傾斜滑降路を記載の順番で経て地上の着水プールに至る滑降設備とを組合せて形成することを特徴とする流水滑降遊戯施設であって、
上記傾斜滑降路に滑降者の進行方向の変化を与える複数の突起部を設け、該突起部を弾力性を有する柱状の部材を用いて形成し、滑降者が弾かれたり方向変更を余儀なくされる、流水滑降遊戯施設。
【請求項２】
滑降者が速度の大小に伴う旋回軌跡の変化を楽しめる旋回滑降路をさらに有する請求項１に記載の流水滑降遊戯施設。
【発明の詳細な説明】
【技術分野】
【０００１】
この発明は、滑降路に水を流して滑降者が直接又は浮体に着座して滑り降りる流水式滑り台に凸凹や曲折の変化を組合せて形成することにより滑降の遊戯性を向上し、さらにその滑降状況を観て楽しむレジャー性を増大させた流水滑降遊戯施設に関するものである。
【背景技術】
【０００２】
流水式滑り台には屋外設置や室内設置の種々タイプのものがあり、直線や旋回など滑り路に変化をもたせている。さらに半径を変化させた漏斗状の滑降路を有する改良された水流滑り台なども考えられている。
【０００３】
特許文献１の特開平０１−２４２０８６号公報「シーソー機構を設けた水上滑り台」の発明には、流水と共に滑降者が滑り降りる水上滑り台において、連続する滑降路の一部を分割して、一方端を支点として他方端が上下に回動して、滑降者の進行方向を逆転するシーソー機構を設けた構成が開示されている。
【０００４】
特許文献２の実開平０３−２７２９０号公報「川下り滑り台」の考案には、滑降路に水を流し浮体に乗座して滑降する滑り台において、水平や旋回もしくは蛇行あるいは推進等の浮体の動きを変化させるための強制流を送る給水ノズルを設けた構成が開示されている。
【０００５】
特許文献３の実開平０３−４９８８９号公報「ウォータスライダー」の考案には、高所を始点としプール水面上を終点とする下降する滑り台状の滑降路を形成し、注水して流下する水流を利用して人が滑降する滑降路の途中に、山部と谷部と水溜めタンクと、水溜めタンクの水を山部上り傾斜に向かって噴射するポンプとを備えた構成が開示されている。
【先行技術文献】
【特許文献】
【０００６】
【特許文献１】特開平０１−２４２０８６号公報
【特許文献２】実開平０３−２７２９０号公報
【特許文献３】実開平０３−４９８８９号公報
【発明の概要】
【発明が解決しようとする課題】
【０００７】
直線や旋回を組合せ滑り路の半径を変化させた漏斗状の滑降構造の水流滑り台に、凹凸やねじれを加えて滑降に変化や緩急をつけて長い滞留時間をもたせて楽しむことが望まれている。また、同伴者や見物者が高い所から滑降の状況や景色を観覧して楽しむことも要望されている。
【０００８】
特許文献１の「シーソー機構を設けた水上滑り台」の発明は、滑降路の一部が上下に回動して進行方向を逆転するシーソー機構を設けたものであるが、流水路の幅を拡大縮小しかつ凹凸をもつ変化を加えて遊戯性の向上を図ったものではない。
【０００９】
特許文献２の「川下り滑り台」の考案は、浮体に乗座して滑降する滑り台に強制流を送って水平や旋回もしくは蛇行あるいは推進等の変化をもたせたものであるが、流水路の幅を拡大縮小しかつ凹凸の変化を加えて遊戯性の向上を図ったものではない。
【００１０】
特許文献３の「ウォータスライダー」の考案は、滑降路の途中に、山部と谷部と水溜めタンクと、噴射ポンプとを備えたものであるが、流水路の幅を拡大縮小しかつ凹凸の変化を与えて遊戯性の向上を図ったものではない。
【００１１】
この発明は、上述のような従来技術が有する問題点に鑑みてなされたもので、目的とするところは、滑降路に凸凹や曲折の変化と速度の緩急をつけて滑降者が長い滞留時間の滑降を楽しみ、かつ同伴者や見物者が高い所から景色や滑降の状況を観覧して楽しむことができる流水滑降遊戯施設を提供することにある。
【課題を解決するための手段】
【００１５】
請求項１の発明に係る流水滑降遊戯施設は、
エレベーターやエスカレーター、階段からなる昇降設備と、該昇降設備の最上部に位置する展望台及びステージからなるタワー設備と、該タワー設備の前記ステージから筒体滑降路、漏斗状滑降路、筒体滑降路、傾斜滑降路を記載の順番で経て地上の着水プールに至る滑降設備とを組合せて形成することを特徴とする流水滑降遊戯施設であって、
上記傾斜滑降路に滑降者の進行方向の変化を与える複数の突起部を設け、該突起部を弾力性を有する柱状の部材を用いて形成し、滑降者が弾かれたり方向変更を余儀なくされることを特徴とする。
また、請求項２の発明に係る流水滑降遊戯施設は、
滑降者が速度の大小に伴う旋回軌跡の変化を楽しめる旋回滑降路をさらに有することを特徴とする。
【発明の効果】
【００１９】
請求項１の発明に係る流水滑降遊戯施設は、
エレベーターやエスカレーター、階段からなる昇降設備と、該昇降設備の最上部に位置する展望台及びステージからなるタワー設備と、該タワー設備の前記ステージから筒体滑降路、漏斗状滑降路、筒体滑降路、傾斜滑降路を記載の順番で経て地上の着水プールに至る滑降設備とを組合せて形成することを特徴とする流水滑降遊戯施設であって、
上記傾斜滑降路に滑降者の進行方向の変化を与える複数の突起部を設け、該突起部を弾力性を有する柱状の部材を用いて形成し、滑降者が弾かれたり方向変更を余儀なくされるので、
突起部を設けた傾斜滑降路では突起部に弾かれて進路変更の変化を受けて楽しむことが可能である。
また、請求項２の発明に係る流水滑降遊戯施設は、
滑降者が速度の大小に伴う旋回軌跡の変化を楽しめる旋回滑降路をさらに有するので、滑降位置の変化を楽しむことができる。

【図面の簡単な説明】
【００２０】
【図１】本発明に係る流水滑降遊戯施設の実施形態例を示す説明図である。
【図２】漏斗状滑降路の第１実施形態例を示す斜視説明図である。
【図３】図２の平面説明図である。
【図４】漏斗状滑降路の第２実施形態例を示す斜視説明図である。
【図５】図４の平面説明図である。
【図６】傾斜滑降路の第１実施形態例で凸凹部を有する滑降路を示す説明図である。
【図７】傾斜滑降路の第２実施形態例で突起部を有する滑降路を示す説明図である。
【図８】旋回滑降路の実施形態例を示す説明図である。
【発明を実施するための形態】
【００２１】
本発明に係る流水滑降遊戯施設の実施形態例について図１から図８に基づいて説明する。本発明は下記の実施形態にのみ限定されるものではない。本発明の要旨を逸脱しない範囲で下記の実施形態に変更（例えば構成要素の省略または付加、構成要素の形状の変更等）を加えることが出来るのはもちろんである。なお、図は概略を示すもので、一部のみを描き詳細構造は省略した。
【００２２】
図１は、本発明に係る流水滑降遊戯施設全体の実施形態例を示す。
流水滑降遊戯施設１は、昇降設備２とタワー設備３と滑降設備４とを組合せて形成する。
昇降設備２はエレベーター、エスカレーター、階段等を適宜選択して構成し、最上部の展望台３ａ及びステージ３ｂからなるタワー設備３へと接続する。
滑降設備４は、タワー設備３のステージ３ｂから漏斗状滑降路５、傾斜滑降路６、旋回滑降路７を経て地上の着水プール８へ至るように形成する。
【００２３】
滑降者は昇降設備２を利用してステージ３ｂに上り、流水とともに直接、又は浮体に乗って、滑降設備４の漏斗状滑降路５、傾斜滑降路６、旋回滑降路７において、変化や緩急をつけて長い滞留時間の滑降と遊水を楽しむことができる。
滑降者以外の同伴者や見物者などは、昇降設備２によってタワー設備３最上部の展望台３ａへ上って、周辺の景色や滑降者の滑降状況を高い所から観覧して楽しむことができる。
【００２４】
漏斗状滑降路５は、上方位置の入口側を拡大し下方位置の出口側を縮小した漏斗状で急傾斜から緩斜面に移行する湾曲した滑降路面に形成する。この漏斗状滑降路５の滑降路面の上方入口側から斜め方向に進入した滑降者は、競り上がりと反転下りを左右ジグザグに繰返して下方出口側に向って滑降していく。
【００２５】
図２は漏斗状滑降路５の第１実施形態例で、急傾斜から緩斜面に移行する湾曲した滑降路の内壁面に複数の凸凹部１５を設けた漏斗状滑降路５Ａを示し、図３は図２の平面図である。
５０は筒体滑降路で、漏斗状滑降路５Ａへと接続する。この漏斗状滑降路５Ａの入口５１から出口５２に至る間に、滑降者の降下を案内しガイドする複数のこぶ状の凸凹部１５（１５ａ、１５ｂ、１５ｃ・・・）を設ける。Ｐ（Ｐ１、Ｐ２、Ｐ３、・・・）は滑降者が凸凹部１５（１５ａ、１５ｂ、１５ｃ・・・）に到達する直前の競り上り部を示す。
図２及び図３の実線矢印に示すように、滑降者は入口５１から斜め方向に進入し、第１の競り上がり部Ｐ１をピークとした後に方向転換して第１の凸凹部１５ａに沿ってガイドされ降下し、次いで、第２の競り上がり部Ｐ２から第２の凸凹部１５ｂ、続いて第３の競り上がり部Ｐ３から第３の凸凹部１５ｃ、さらに第４の競り上がり部Ｐ４から第４の凸凹部１５ｄへと順次降下していく。
このように実線矢印で示すように滑降経路は、第１の凸凹部１５ａ、第２の凸凹部１５ｂ、第３の凸凹部１５ｃ、第４の凸凹部１５ｄにガイドされて、直滑降方向から斜滑降方向へと進行方向が制限されるため、図３の二点鎖線で示す従来の滑降経路に比べて滑降経路を長くかつ滞留時間を長く楽しむことができる。
【００２６】
図４は漏斗状滑降路５の第２実施形態例で、急傾斜から緩斜面に移行する湾曲した滑降路を変形させて複数の凸凹状の段差部２５を設けた漏斗状滑降路５Ｂを示し、図５は図４の平面図である。
５０は筒体滑降路で、漏斗状滑降路５Ｂへ接続する。この漏斗状滑降路５Ｂの入口５１から出口５２の間に、複数の段差部２５（第１の段差部２５ａ、第２の段差部２５ｂ、・・・）を設ける。
図４及び図５の実線矢印に示すように、滑降者は入口５１から漏斗状滑降路５Ｂへ進入し、最初の競り上がり部Ｐ１をピークとし、第１の段差部２５ａの第１の乗越え部Ｕ１、第２の段差部２５ｂの第２の乗越え部Ｕ２を順次乗り越えて降下していく。
このように、滑降者は第１の競り上がり部Ｐ１で大きく競り上がって反転して降下し、次いで第１の乗越え部Ｕ１、第２の乗越え部Ｕ２で上下動して水しぶきをあげて降下するため、図５の一点鎖線で示す従来の滑降経路に比べて滑降のスリルを楽しむことができる。
【００２７】
図６は、傾斜滑降路６の第１実施形態例で複数の凸凹部１６を設けた事例である。
６０は筒体滑降路で、傾斜凸凹滑降路６Ａへ接続する。この傾斜凸凹滑降路６Ａの入口６１から出口６２に至る間の任意位置に、複数の凸部１６ａ及び凹部１６ｂを設ける。
滑降者は傾斜凸凹滑降路６Ａ内へ入口６１から入り、凸部１６ａに進路を遮られて移動し、さらに凹部１６ｂの水溜りに誘導され、滑降に緩やかな変化を受けて降下していく。
このように、滑降者は凸部１６ａと凹部１６ｂによって進路と速度が緩やかに変わるため、浮遊姿勢の変化を楽しむことができる。
【００２８】
図７は、傾斜滑降路６の第２実施形態例で複数の突起部２６を設けた事例である。
６０は筒体滑降路で、傾斜突起滑降路６Ｂへ接続する。この傾斜突起滑降路６Ｂの入口６１から出口６２に至る間に、複数の突起部２６を設ける。この突起部２６は、弾力性を有する柱状の部材を用いて形成する。
乗座浮体９は傾斜突起滑降路６Ｂ内へ入口６１から入り、あたかもピンボールのように、突起部２６に弾かれたり方向変更を余儀なくされたりして、実線の矢印に示すように複雑で変化性のある進路を得て傾斜面を降下していく。
このように、乗座浮体９に乗った滑降者は、突起部２６によって進路と速度が多様に変わるため、図７の破線で示す従来の傾斜面での滑降経路に比べて、より一層の滑降状況の変化を楽しむことができる。
なお、乗座浮体９なしで滑降者が直接、突起部２６に弾かれながら滑り降りることも可能である。
【００２９】
図８は、旋回滑降路７の実施形態例である。
筒体滑降路７０から旋回滑降路７へ接続し、入口７１、出口７２、旋回水路面７ａ、旋回ガイド壁７ｂを有する。
滑降者は旋回滑降路７内へ入口７１から入り、傾斜した旋回水路面７ａ上を旋回ガイド壁７ｂに沿って滑降していく。
このように、滑降者は速度の大小に伴い旋回軌跡が変化するため、旋回水路面７ａと旋回ガイド壁７ｂに沿う滑降位置の変化を楽しむことができる。
【産業上の利用可能性】
【００３０】
上記流水滑降遊戯施設は、水泳用のプールの他に、レジャー用施設や遊園地などに適用することができる。
【符号の説明】
【００３１】
１滑降遊戯施設    
２昇降設備    
３タワー設備    
３ａ展望台    
３ｂステージ    
４滑降設備    
５漏斗状滑降路    
６傾斜滑降路    
７旋回滑降路    
８着水プール    
９乗座浮体
【図１】
0006628216.tif 000002
【図２】
0006628216.tif 000003
【図３】
0006628216.tif 000004
【図４】
0006628216.tif 000005
【図５】
0006628216.tif 000006
【図６】
0006628216.tif 000007
【図７】
0006628216.tif 000008
【図８】
0006628216.tif 000009